(57)【特許請求の範囲】
【請求項１】
時間圧縮されたディジタル情報がその時間圧縮率情報とともに記録された磁気テープからディジタル情報を再生するディジタル情報再生装置において、
前記磁気テープを駆動するキャプスタンモータの回転角速度に比例する周波数を有する回転角速度信号を分周して位相検出信号を出力する分周手段と、
該分周手段の分周比を前記磁気テープから再生された時間圧縮率情報に基づいて制御する分周比制御手段と、
前記位相検出信号と基準クロック信号とが位相ロックするように前記キャプスタンモータの駆動制御を行うモータ制御手段と、
前記磁気テープには、該磁気テープの走行方向に一定の間隔でコントロール信号が記録されており、該コントロール信号を再生し、該再生したコントロール信号を用いて前記分周手段をリセットするリセット手段とを備えることを特徴とするディジタル情報再生装置。
【請求項２】
前記分周手段は、前記リセット手段によるリセットタイミングの近傍以外の期間内のタイミングで前記位相検出信号を出力することを特徴とする請求項１に記載のディジタル情報再生装置。
【請求項３】
前記分周手段は、前記リセット手段によりリセットされる第１の分周器と、該第１の分周器の出力信号でリセットされる第２の分周器とからなることを特徴とする請求項１または２に記載のディジタル情報再生装置。
【請求項４】
前記回転角速度信号の周波数は、前記再生されるコントロール信号の周波数を、想定される時間圧縮率の逆数の公倍数倍した値に設定することを特徴とする請求項１から３のいずれか１項に記載のディジタル情報再生装置。
【請求項５】
前記想定される時間圧縮率を、１／２，１／３，１／５または１／７とし、前記回転角速度信号の周波数を、前記再生されるコントロール信号の周波数を２，３，５及び７の公倍数倍した値に設定することを特徴とする請求項４に記載のディジタル情報再生装置。
【発明の詳細な説明】
【０００１】
本発明は、ディジタル化された画像情報や音声情報等が記録された磁気テープから、記録された情報を再生するディジタル情報再生装置に関し、特に時間圧縮処理を施して記録された情報を再生時に元に戻す処理を行うものに関する。
【０００２】
【従来の技術】
ディジタル化された情報を時間圧縮処理（圧縮率を１／ｎとする）を施して磁気テープに記録し、該記録した情報を再生するときは、磁気テープの送り速度を記録時の１／ｎとして、時間伸張処理を行うことにより元のデータを出力するようにしたディジタル情報記録再生装置は、特開平８−６３９０２号公報に示されている。しかしながら、この公報では、再生時の処理に関して単に「時間軸圧縮モードで記録されている場合には、テープの送り速度を記録時の圧縮率分の１とする」点のみが示されており、その詳細は示されていない。
【０００３】
図８は、このような再生時の処理を行うディジタル情報再生装置であって、従来技術から容易に導き出せるディジタル情報再生装置の構成を示すブロック図である。この装置は、回転ドラム３上に配置された磁気ヘッド１，２と、回転ドラム３を駆動するドラムモータ４と、ドラムモータ４の駆動制御を行うドラムサーボ部１０４と、磁気テープ７０の走行方向に、ほぼ一定の間隔で記録されたパルス状のコントロール信号（図９参照）を再生するコントロールヘッド５と、コントロールヘッド５の出力信号を増幅するコントロールアンプ９と、磁気テープ７０を駆動するキャプスタン６と、キャプスタン６を回転駆動するキャプスタンモータ７と、キャプスタン６に圧着されるピンチローラ８と、キャプスタンモータ７の駆動制御系を構成する分周器１０５，１０６、Ｆ／Ｖ変換器１０７，１０８、位相比較部１０９、速度比較部１１０、及び統合キャプスタンサーボ部１１１と、基準クロック信号を発生する基準クロック発生部１０３と、磁気テープ７０から磁気ヘッド１，２を介して再生された情報のデコード処理（記録時のエンコード処理の逆の処理）を行うデータデコード部１０１と、時間軸変換処理を行う時間軸変換部１０２とを備えている。
【０００４】
データデコード部１０１は、記録時の時間圧縮率ＴＣＲを示すＴＣＲ情報を再生データから抽出し、時間軸変換部１０２及び分周器１０５，１０６に供給する。時間軸変換部１０２は、再生データをメモリに格納し、記録時の時間圧縮率に応じた周波数の読み出しクロックを使用してメモリに格納したデータを読み出すことにより、再生データを元の時間軸に戻す処理（時間伸張処理）を行う。読み出しクロックは、具体的には、基準クロック発生部１０３から入力される基準クロック信号をＴＣＲ情報によって示される記録時の時間圧縮率に応じた分周比で分周することにより生成される。
【０００５】
分周器１０５，１０６は、それぞれ基準クロック発生部１０３から入力される基準クロック信号を、ＴＣＲ情報によって示される記録時の時間圧縮率に応じた分周比で分周し、分周器１０５は分周して得られる信号を位相基準信号ＰＲＥＦとして位相比較部１０９に供給する。また分周器１０６は、分周して得られる信号をＦ／Ｖ変換部１０７に供給し、Ｆ／Ｖ変換部１０７は、入力信号の周波数に比例する電圧を有する速度基準信号ＶＲＥＦを速度比較部１１０に供給する。一方、Ｆ／Ｖ変換部１０８には、キャプスタンモータ７の回転角速度にほぼ比例する周波数を有するキャプスタンＦＧ信号が入力され、このキャプスタンＦＧ信号の周波数に比例する電圧を有する速度検出信号ＶＦＧがＦ／Ｖ変換部１０８から速度比較部１１０に供給される。
【０００６】
位相比較部１０９は、位相基準信号ＰＲＥＦと、再生されるパルス状のコントロール信号（コントロールパルス）ＰＣＴＬとの位相差に応じた信号ＤＰを出力し、速度比較部１１０は、速度基準信号ＶＲＥＦと、速度検出信号ＶＲＧとの偏差に応じた信号ＤＶを出力する。統合キャプスタンサーボ部１１１は、これらの信号ＤＰ，ＤＶに基づいてキャプスタンモータ７を駆動し、磁気テープ７０が所定の走行速度及び走行位相で走行するように制御を行う。
【０００７】
またドラムサーボ部１０４は、ドラムモータ４の回転角速度を示すドラム回転信号ＲＤに応じてドラムモータ４の駆動制御を行う。
磁気テープ７０上には、図９に示すような傾斜トラックにディジタル情報が記録されており、再生時は磁気ヘッド１，２が磁気テープ７０上の傾斜トラックを走査して、記録されているディジタル情報を再生する。
【０００８】
この装置では、例えば記録時に１／２の時間圧縮処理がなされている場合には、分周器１０５，１０６の分周比ＲＤＶ２（＝出力周波数／入力周波数）は、時間圧縮処理がなされていない場合の分周比ＲＤＶ０の１／２倍とし、再生時の磁気テープ７０の走行速度が記録時の１／２となるように制御される。
【０００９】
【発明が解決しようとする課題】
しかしながら、図８に示す装置では、記録時の圧縮率が高い場合には、再生されるコントロール信号の周波数が極端に低くなり、位相比較部１０９における位相比較の実行間隔が長くなるため、安定した位相フィードバック制御を行うことができず、テープ送り制御が不安定となり易い。また、その結果テープテンションが不安定となって、磁気ヘッド１，２と磁気テープ７０とが接触しなくなったり、逆に磁気ヘッド１，２によって磁気テープ７０に損傷が与えられるおそれがあった。
【００１０】
本発明はこの問題を解決するためになされたものであり、記録時の時間圧縮率が高い場合でも安定した磁気テープ走行を可能としたディジタル情報再生装置を提供することを目的とする。
【００１１】
【課題を解決するための手段】
上記目的を達成するため請求項１に記載の発明は、時間圧縮されたディジタル情報がその時間圧縮率情報とともに記録された磁気テープからディジタル情報を再生するディジタル情報再生装置において、前記磁気テープを駆動するキャプスタンモータの回転角速度に比例する周波数を有する回転角速度信号を分周して位相検出信号を出力する分周手段と、該分周手段の分周比を前記磁気テープから再生された時間圧縮率情報に基づいて制御する分周比制御手段と、前記位相検出信号と基準クロック信号とが位相ロックするように前記キャプスタンモータの駆動制御を行うモータ制御手段と、前記磁気テープには、該磁気テープの走行方向に一定の間隔でコントロール信号が記録されており、該コントロール信号を再生し、該再生したコントロール信号を用いて前記分周手段をリセットするリセット手段とを備えることを特徴とする。
【００１３】
請求項２に記載の発明は、請求項１に記載のディジタル情報再生装置において、前記分周手段は、前記リセット手段によるリセットタイミングの近傍以外の期間内のタイミングで前記位相検出信号を出力することを特徴とする。
【００１４】
請求項３に記載の発明は、請求項１または２に記載のディジタル情報再生装置において、前記分周手段は、前記リセット手段によりリセットされる第１の分周器と、該第１の分周器の出力信号でリセットされる第２の分周器とからなることを特徴とする。
【００１５】
請求項４に記載の発明は、請求項１から３のいずれか１項に記載のディジタル情報再生装置において、前記回転角速度信号の周波数は、前記再生されるコントロール信号の周波数を、想定される時間圧縮率の逆数の公倍数倍した値に設定することを特徴とする。
【００１６】
請求項５に記載の発明は、請求項４に記載のディジタル情報再生装置において、前記想定される時間圧縮率を、１／２，１／３，１／５または１／７とし、前記回転角速度信号の周波数を、前記再生されるコントロール信号の周波数を２，３，５及び７の公倍数倍した値に設定することを特徴とする。
【００１８】
【発明の実施の形態】
以下本発明の実施の形態を図面を参照して説明する。
図１は本発明の一実施形態にかかるディジタル情報記録再生装置としてのディジタルＶＴＲ（ビデオテープレコーダ）の記録系要部の構成を説明するための図であり、図２は該ＶＴＲの再生系要部の構成を説明するための図である。これらの図において、図８と同様の構成要素には同一の参照番号を付して示している。このＶＴＲは、Ｄ−ＶＨＳ（登録商標）規格に準拠したものである。
【００１９】
図１，２に示すＶＴＲは、従来のＶＴＲと同様に、回転ドラム３上に配置された磁気ヘッド１，２、ドラムモータ４、コントロールヘッド５、コントロールアンプ９、キャプスタン６、ピンチローラ８、及びキャプスタンモータ７を備えている。またこのＶＴＲの記録系は、図１に示すように、入力信号を記録に適したデータに変換するデータエンコード部１１と、データエンコード部１１の出力信号を増幅して磁気ヘッド１，２を駆動する記録アンプ１２と、入力信号に基づいて基準クロック信号ＳＲＥＣを発生する基準クロック発生部１３と、基準クロック発生部１３から出力される基準クロック信号ＳＲＥＣと、ドラムモータ４の回転角速度を示すドラム回転信号ＲＤとを用いてドラムモータ４の駆動制御を行うドラムサーボ部１５と、基準クロック信号ＳＲＥＣと、キャプスタンモータ７の回転角速度に比例する周波数を有するキャプスタンＦＧ信号ＣＦＧとを用いてキャプスタンモータ７の駆動制御を行うキャプスタンサーボ部１６とを備えている。基準クロック信号ＳＲＥＣは、コントロールヘッド５に供給され、コントロール信号ＣＴＬとして磁気テープ７０の走行方向にほぼ等間隔で記録される。
【００２０】
磁気テープ７０の記録パターンは、従来と同様に図９で示すようになり、磁気ヘッド１，２により傾斜トラックに画像情報、音声情報を中心としたディジタル情報が記録される。
【００２１】
図５は、磁気テープ上の１トラックのデータ構成を示す図であり、１トラックは、マージンＥ１，Ｅ９と、サブコード領域Ｅ３と、そのプリアンブルＥ２及びポストアンブルＥ４と、メインコード領域Ｅ７と、そのプリアンブルＥ６及びポストアンブルＥ８と、ＩＢＧ（インターブロックギャップ）Ｅ５とから構成される。サブコード領域Ｅ３には、サーチ（高速再生）のための情報及びタイムコード、テキストコード等のパックデータが記録され、メインコード領域Ｅ７には、画像、音声等の主データが記録され、その容量は１３．８Ｍｂｐｓ（メガビット／秒）である。サブコード領域Ｅ３及びメインコード領域Ｅ７以外は、一定のビットパターンで構成されている。
【００２２】
メインコード領域Ｅ７は、３３６個のシンクブロックで構成され、この領域Ｅ７の１つのシンクブロックは図６に示すように、２バイトのシンクパターンＦ１と、３バイトのＩＤ情報Ｆ２と、３バイトのメインヘッダＦ３と、１バイトのデータＡＵＸＦ４と、９６バイトのデータＦ５と、８バイトのインナパリティＦ６とからなる。データＡＵＸＦ４は、パックデータを記録する領域であり、ＩＤ情報Ｆ３は、シンクブロックのアドレスを示す情報であり、データＦ５がディジタル化された画像情報または音声情報である。メインヘッダＦ３は、図７に示すようにフォーマット情報（第１バイトのビットＢ７〜Ｂ４）とシンクブロック情報（第１バイトのビットＢ３〜第２バイトのビットＢ０）とからなり、シンクブロック番号（ＳＢ番号）に対応して定義が異なっている。すなわち、図７のおいて「ｎ」は、０から２７の整数であって、１２通りの定義が存在し、そのうちのシンクブロック番号が２・（６ｎ＋４）＋１（＝９，２１，３３，…３３３）であるシンクブロックのフォーマット情報に時間圧縮率ＴＣＲを示すＴＣＲ情報が格納される。このＴＣＲ情報は、４ビットのバイナリコードであり、実時間記録（圧縮率１）のとき００００Ｂ（「Ｂ」は２進数であることを示す）、ＴＣＲ＝１／２のとき００１０Ｂ、ＴＣＲ＝１／３のとき００１１Ｂ、ＴＣＲ＝１／５のとき０１０１Ｂ、ＴＣＲ＝１／７のとき０１１１Ｂが記録される。なお、図７のＤＴは、データタイプ（ダミーデータであるか否かなどを示す情報）であり、ＳＢＣはシンクブロックカウント（ＭＰＥＧ２トランスポートバケットなどの元のディジタルデータと、シンクブロックブロック内のデータとの関係を示す情報）である。
【００２３】
図１に戻り、データエンコード部１１は、入力信号に所定の処理を施して、上記シンクブロックを合成し、出力する処理を行うものであり、入力信号のタイミングを調整して出力する入力信号タイミング調整部２１と、ダミーデータを発生するダミーデータ発生部２２と、入力信号のデータレートに応じて記録データレートを決定し、スイッチ２４の切換制御を行うとともに、記録データレートに応じて時間圧縮率ＴＣＲを設定し、その圧縮率ＴＣＲを示すＴＣＲ情報をフォーマッタ２５に出力する記録データレート決定部２３と、スイッチ２４と、シンクブロックを合成するフォーマッタ２５とを備えている。
【００２４】
本実施形態のＶＴＲは、通常記録では、１３．８Ｍｂｐｓの記録容量があるので、例えば入力信号のデータレートが４Ｍｂｐｓであるときは、９．８Ｍｂｐｓのダミーデータを挿入して記録を行う。すなわち、入力タイミング調整部２１により入力信号のタイミングを調整しつつ、ダミーデータ発生部２２から出力されるダミーデータを所定のタイミングで挿入するようにスイッチ２４が制御される。
【００２５】
また、例えば４Ｍｂｐｓの入力信号を１／３の時間に圧縮して記録する場合には、記録データレートは１２Ｍｂｐｓとなり、ＴＣＲ＝００１１Ｂとし、１．８Ｍｂｐｓ（＝１３．８−１２）のダミーデータを付加して記録する。これにより、記録時間は１／３となり、テープ使用量も１／３となる。このような時間圧縮記録を行う場合でも、単にＴＣＲ情報を００１１Ｂとして記録するだけで特に追加する回路等はないので、記録系のコストアップはほとんど無視できる程度である。また例えばビデオＣＤ（コンパクトディスク）から再生される１．５Ｍｂｐｓ相当のデータを記録するときは、１／７の時間に圧縮して１０．５Ｍｂｐｓの信号とし、ＴＣＲ＝０１１１Ｂとし、３．３Ｍｂｐｓのダミーデータを付加して記録を行う。
【００２６】
このようにして記録系のコストアップなしに記録時間の短縮化とダミーデータ量の低減が可能となるので、記録媒体、すなわち磁気テープを効率的に使用することができる。さらに、時間圧縮率ＴＣＲを記録することにより、種々の時間圧縮率に対応することが可能である。
【００２７】
次に再生時の処理の概要を説明する。再生時は、時間圧縮率ＴＣＲを読み取り、この時間圧縮率ＴＣＲに対応するテープ走行速度を決定し、そのテープ走行速度となるようにテープ走行制御を行う。より具体的には、ＴＣＲ＝００００Ｂであるときは、標準のテープ走行速度ＶＳＰとし、ＴＣＲ＝１／３＝００１１Ｂであるときは、標準のテープ走行速度ＶＳＰの１／３とする。このようにテープ走行速度を低速としても、テープ走行が安定していれば、読み出しデータは間欠的になるものの、必要なデータはすべて読み出せるため、記録時に意図したデータレート信号を発生させて時間伸張処理を行うことができる。時間圧縮率ＴＣＲが１／５や１／７の場合も同様である。
【００２８】
このような処理を行う再生系は、図２に示すように、磁気ヘッド１，２の出力信号を増幅して再生信号の検出を行う再生信号検出部３１と、記録時にエンコードしたデータを元に戻す処理を行うデータデコード部３２と、記録時に時間圧縮を行った場合に元に戻す伸張処理を行う時間軸変換部３３と、ドラムモータ４の駆動制御を行うドラムサーボ部１５と、基準クロック信号ＳＰＢを発生する基準クロック発生部５０と、キャプスタンモータ制御系を構成する分周器５１〜５４、Ｆ／Ｖ変換部５５，５６、位相比較部５７、速度比較部５８及び統合キャプスタンサーボ部５９とを備えている。
【００２９】
データデコード部３２は、シンクブロックからデータを抽出するデフォーマッタ４１と、誤りの検出、訂正及び訂正できない誤りの判別を行う良否データ判別部４２と、出力すべきデータの選択を行う出力ゲート部４３とを備え、時間軸変換部３３は、出力信号のデータレートを調整して元に戻す処理を行う出力データレート調整部４４と、基準クロック信号ＳＰＢを分周する分周器４５とを備えている。デフォーマッタ４１は、再生信号から読み出したＴＣＲ情報を各分周器４５，５１〜５４に供給する。各分周器４５，５１〜５４は、ＴＣＲ情報に応じた分周比（＝出力周波数／入力周波数）で、より具体的には、時間圧縮処理なしの記録（時間圧縮率ＴＣＲ＝１）に対応する分周比ＲＤＶ０に時間圧縮率ＴＣＲを乗算した分周比で分周動作を行う。例えば時間圧縮率ＴＣＲ＝１／３で記録した情報を再生するときの分周比ＲＤＶ３は、ＲＤＶ０×（１／３）に設定する。
【００３０】
出力データレート調整部４４は、データデコード部３２から供給されるデータをメモリに格納し、分周器４５から出力される信号をそのメモリの読み出しクロックとして使用する。分周器４５は、基準クロック信号ＳＰＢをＴＣＲ情報に応じた分周比で分周するので、これをメモリの読み出しクロックとして使用することにより、記録時の時間圧縮率ＴＣＲに対応した時間伸張処理を行うことができる。
【００３１】
分周器５４と、Ｆ／Ｖ変換部５５，５６と、速度比較部５８は、それぞれ図８の分周器１０６と、Ｆ／Ｖ変換部１０７，１０８と、速度比較部１１０とに対応し、従来と同様の速度制御系を構成している。すなわち、キャプスタンモータ７の回転角速度に比例する電圧を有する速度検出信号ＶＦＧと、対応する速度基準信号ＶＲＥＦとの偏差信号ＤＶに応じた速度制御が行われる。分周器５４の分周比は、ＴＣＲ情報に応じた値に設定される。
【００３２】
分周器５１，５２は、キャプスタンモータ７の回転角速度信号としてのキャプスタンＦＧ信号ＣＦＧを分周する分周器であり、分周器５１は、再生されたコントロール信号ＰＣＴＬによってリセットされ、分周器５２は、分周器５１の出力信号によりリセットされ、分周器５２の出力信号が位相検出信号ＰＣＴＬＸとして位相比較部５７に入力される。また、分周器５３は、基準クロック信号ＳＰＢを時間圧縮率ＴＣＲに応じた分周比で分周し、位相基準信号ＰＲＥＦＸを生成して、位相比較部５７に入力する。位相比較部５７は、位相検出信号ＰＣＴＬＸと、位相基準信号ＰＲＥＦＸとの偏差ＤＰＸを出力し、統合キャプスタンサーボ部５９に供給する。統合キャプスタンサーボ部５９は、入力される偏差信号ＤＰ，ＤＶに基づいてキャプスタンモータ７を駆動し、磁気テープ７０が所定の走行速度及び走行位相で走行するように制御を行う。
【００３３】
以上のように本実施形態のキャプスタンモータ７の位相制御系は、時間圧縮率ＴＣＲが大きいときは、再生時のテープ走行速度が低くなり、再生コントロール信号ＰＣＴＬの周波数が低下する（例えばＴＣＲ＝１／５であるときは、テープ走行速度が１／５となるので、再生コントロール信号の周波数は標準速度のときの１／５となる）ことによるテープ走行制御の不安定化を防止するため、キャプスタンＦＧ信号ＣＦＧを分周して標準速度のときとほぼ同一の周期で位相比較を実行するようにしている。この点を図３，４に示すタイムチャートを参照して詳細に説明する。なお、図３，４は、時間的に連続する動作を時刻ｔＣを境として分割して示したものであり、図３の時刻ｔＣと図４の時刻ｔＣは、同一の時刻を示している。また図３の（ａ）〜（ｊ）は、それぞれ図４の（ａ）〜（ｊ）に続くように示されている。
【００３４】
本実施形態では、テープ走行時にキャプスタンモータ７から出力されるキャプスタンＦＧ信号ＣＦＧの周波数ｆＦＧは、再生コントロール信号ＰＣＴＬの周波数ｆＣＴＬの２１０倍となるように設定されている。本実施形態のＶＴＲでは、記録時の時間圧縮率ＴＣＲは、１／２，１／３，１／５，１／７の４通りに設定可能とされており、「２１０」は、時間圧縮率ＴＣＲの逆数（２，３，５，７）の公倍数である。
【００３５】
図３，４では、再生時のテープ走行速度が標準速度の１／５である場合、すなわちＴＣＲ＝１／５である場合の動作を示しており、同図（ａ）及び（ｂ）は、それぞれ標準速再生時の再生コントロール信号ＰＣＴＬ０及び１／５倍速再生時の再生コントロール信号ＰＣＴＬ５を示している。したがって、再生コントロール信号ＰＣＴＬ５の周期は、ＰＣＴＬ０の周期の５倍となっている。また同図（ｃ）及び（ｅ）は、それぞれ分周器５１のカウント値Ｃ５１及び分周器５２のカウント値Ｃ５２を示している。本実施形態では、１／５倍速再生（ＴＣＲ＝１／５）であるときは、分周器５１，５２は、キャプスタンＦＧ信号ＣＦＧの２１０パルスで５巡させるために、０から４１までを繰り返してカウントし、所定のカウント値「２１」でリセット信号ＰＲＳＴ（同図（ｄ））及び位相検出信号ＰＣＴＬＸ（同図（ｆ））を出力するように構成されている。
【００３６】
分周器５１は、再生コントロール信号ＰＣＴＬ５の立ち上り時点ｔ０，ｔ１０でリセットされ、カウント値Ｃ５１＝２１のときリセット信号ＰＲＳＴを出力するので、時刻ｔ１，ｔ３，ｔ５，ｔ７，ｔ９，ｔ１１，…の近傍でリセット信号ＰＲＳＴが出力される。分周器５２は、このリセット信号ＰＲＳＴでリセットされるので、同図（ｅ）に下向きの矢印で示すタイミングでリセットされ、カウント値Ｃ５２＝２１のとき位相検出信号ＰＣＴＬＸを出力する。したがって、同図（ｆ）に示すように、時刻ｔ０，ｔ２，ｔ４，ｔ６，ｔ８，ｔ１０，…の近傍で位相検出信号ＰＣＴＬＸが出力され、標準速再生時の再生コントロール信号ＰＣＲＬ０とほぼ同一の周期かつほぼ同一のタイミングの位相検出信号を得ることができる。その結果、テープ走行速度を低速とする場合でも、安定したテープ走行制御を行うことが可能となる。
【００３７】
なお、分周器５１においてリセット信号ＰＲＳＴを出力するカウント値は「２１」でなくても０から４１のいずれの値でもよいが、０あるいは４１の近傍の値に設定すると、リセットタイミング（再生コントロール信号の立ち上りタイミング）に近いため、このリセットタイミングの少しのずれで、リセット信号ＰＲＳＴの間隔が大きく変化してしまうおそれがあるので、リセットタイミングの近傍以外の期間内のタイミングに対応する値、例えば０から４１の中間的な値（１０から３０程度の値）に設定することが望ましい。
【００３８】
また分周器５２を使用して分周器５１の出力信号でリセットする構成としたのは、位相比較部５７に入力される位相検出信号ＰＣＴＬＸのタイミングを、標準速再生時の再生コントロール信号の発生タイミング（立ち上りタイミング）とほぼ一致させるためである。したがって、そのような必要性がないときは、分周器５１の出力信号を位相検出信号ＰＣＴＬＸとして、位相比較部５７に供給するようにしてもよい。
【００３９】
キャプスタン６と磁気テープ７０との間のスリップや、記録した装置と異なる装置で再生する場合の僅かな差異などにより、再生コントロール信号ＰＣＴＬによるリセットタイミングが、分周器５１のカウント値が「０」に戻るタイミングとずれる場合もあるが、多少のずれであれば、分周器５１の出力パルスＰＲＳＴの周期がリセットタイミングの近傍で若干不揃いとなるだけで、大きな問題とはならない。同図（ｇ）〜（ｊ）は、このことを説明するために示したものであり、（ｇ），（ｆ）は、実際のテープ走行速度に比べてキャプスタンモータ７の回転速度が若干遅い場合を示し、（ｉ），（ｊ）は逆に若干速い場合を示している。パルス間隔が不揃いとなることが示されているのは、図４の時刻ｔ１０の近傍であり、パルス信号ＲＢとＲＡとの間隔が、他のパルスの間隔と異なっているが、一時的なものであるため大きな問題とはならない。
【００４０】
なお、時間圧縮率ＴＣＲが１／２の場合は、分周器５１，５２を０から１０４まで繰り返しカウントするように（２１０カウントで２巡するように）制御し、時間圧縮率ＴＣＲが１／３の場合は、分周器５１，５２を０から６９まで繰り返しカウントするように（２１０カウントで３巡するように）制御し、時間圧縮率ＴＣＲが１／７の場合は、分周器５１，５２を０から２９まで繰り返しカウントするように（２１０カウントで７巡するように）制御すればよい。時間圧縮率ＴＣＲとして、１／２，１／３，１／５，１／７を想定する場合には、キャプスタンＦＧ信号の周波数ｆＦＧは、標準速再生時の再生コントロール信号の周波数ｆＣＴＬ０の周波数の、２，３，５，７の公倍数（２１０，４２０，６３０，…）倍、すなわち時間圧縮率ＴＣＲの逆数／ＴＣＲの公倍数倍の周波数に設定するようにすれば、上記したような分周器の分周比の設定を容易に行うことができる。
【００４１】
なお本発明は上述した実施形態に限るものではなく、種々の変形が可能である。例えば、上述した実施形態では、記録再生機能を有するＶＴＲを示したが、本発明の特徴は再生時のテープ走行制御にあるので、再生機能のみのディジタル情報再生装置としてもよい。
【００４２】
【発明の効果】
以上詳述したように請求項１に記載の発明によれば、磁気テープを駆動するキャプスタンモータの回転角速度に比例する周波数を有する回転角速度信号を分周手段により分周することにより、位相検出信号が生成され、該分周手段の分周比が磁気テープから再生された時間圧縮率情報に基づいて制御され、前記位相検出信号と基準クロック信号とが位相ロックするようにキャプスタンモータが駆動制御されるので、記録時の時間圧縮率が高く磁気テープの走行速度が極端に低下する場合でも、安定したテープ走行制御を行うことができる。
また、磁気テープに記録されているコントロール信号を再生し、該再生したコントロール信号を用いて分周手段がリセットされるので、回転角速度信号と実際のテープ走行速度とに微差があってもリセットによって修正され、常に正確な制御を行うことができる。
【００４４】
請求項２に記載の発明によれば、分周手段から出力される位相検出信号は、再生コントロール信号によるリセットタイミングの近傍以外の期間内のタイミングで出力されるので、リセットタイミングの小さなずれで、位相検出信号の抜けが発生することを防止することができる。
【図面の簡単な説明】
【図１】本発明の一実施形態にかかるディジタル情報記録再生装置の記録系の構成を説明するための図である。
【図２】図１のディジタル情報記録再生装置の再生系の構成を説明するための図である。
【図３】図２の再生系の動作を説明するためのタイムチャートである。
【図４】図２の再生系の動作を説明するためのタイムチャートである。
【図５】磁気テープ上の１トラックのデータ構成を示す図である。
【図６】シンクブロックの構成を示す図である。
【図７】シンクブロックのメインヘッダの構成を説明するための図である。
【図８】従来のディジタル情報再生装置の構成を示す図である。
【図９】磁気テープ上の記録パターンを示す図である。
【符号の説明】
１，２  磁気ヘッド
５  コントロールヘッド（リセット手段）
６  キャプスタン
７  キャプスタンモータ
９  コントロールアンプ（リセット手段）
３１  再生信号検出部
３２  データデコード部
３３  時間軸変換部
４１  デフォーマッタ（分周比制御手段）
５０  基準クロック発生部（モータ制御手段）
５１，５２  分周器（分周手段）
５３，５４  分周器
５５，５６  Ｆ／Ｖ変換部
５７  位相比較部（モータ制御手段）
５８  速度比較部
５９  統合キャプスタンサーボ部（モータ制御手段）
【図１】
0003543630.tif 000002
【図２】
0003543630.tif 000003
【図３】
0003543630.tif 000004
【図４】
0003543630.tif 000005
【図５】
0003543630.tif 000006
【図６】
0003543630.tif 000007
【図７】
0003543630.tif 000008
【図８】
0003543630.tif 000009
【図９】
0003543630.tif 000010